(57)【特許請求の範囲】
【請求項１】
巻き爪へ挟着することで略平状へ矯正できる弾性能を有する材によって断面略Ｃ字状に成形された挟持型の矯正部材を２つ以上用いて、  爪の先端側で且つ巻き爪を発症している両側略爪縁部と、  爪の歪曲変形を抑制できる程度に強化された弾性能を有する材を用いて平板状または線状または細工ばね状に成形された略爪幅長の耐歪曲部材とを、括着することで、  矯正中の二次爪変形を抑制した矯正治療ができることを特徴とする巻き爪矯正具。
【発明の詳細な説明】
【技術分野】
【０００１】  本発明は、二次的な爪変形の発症を抑制しながら巻き爪矯正の治療が行える、巻き爪矯正具に関する。
【背景技術】
【０００２】  ポインテッドトゥ靴のようにファッション性を重視した、例えばハイヒールなどに多く見られるつま先の狭い靴を履き続けると、図８に示すように、第一趾の爪が靴の甲皮や隣接する指などの外圧を受け、湾曲状に変形し、さらにこのような靴を履き続けると巻き爪を発症してしまう。また巻き爪の湾曲がさらに強く表れると、爪溝に爪縁部が食い込み、軟部組織を刺激し激痛を起こし、時には腫脹が強く表れたり、さらに悪化すると裂傷を招いたりすることで、歩行ばかりか、立ち上がることさえ困難なことになる。糖尿病の患者はこの巻き爪が原因で指や足が壊死を起こし、切り落とさなければならなくなる場合があるので、湾曲状の爪変形は早期に処置を施す必要がある。【０００３】  また従来の矯正具を用いた場合、矯正治療中に二次的な爪変形を誘発し、治療期間が延びたり、治療後の爪形の見栄えが悪かったりする問題がある。  例えば、（特許文献１）、（特許文献２）、（特許文献３）、（特許文献４）のような巻き爪部を片側爪縁部毎個別に略平状へ伸ばした状態で固定保持する矯正具の場合は、図２（ａ）に示すような外圧が矯正部へ掛かると、図２（ｂ）に示されたように矯正具の爪甲側端部を支点に爪縁部側端部が押圧され爪形が「へ」の字に屈曲してしまうのが欠点である。【特許文献１】特開２００２−３６０６１９号公報
【特許文献２】特開２０１３−９０８９５号公報
【特許文献３】特開２０１０−６３８５８号公報
【特許文献４】特開２００２−３６０６１９号公報
【実用新案文献９】
実案登録３０７２１９１号公報
【発明の開示】
【発明が解決しようとする課題】
【０００４】  従来の巻き爪矯正具を用いた治療は、例えば、図２（ａ）に示すような、片側爪縁部に発症している巻き爪の湾曲部を、該爪縁部の脆性化を鑑みながら矯正具を用いて略平状に起こした後、矯正具を固定して矯正治療する手段があるが、該巻き爪を発症させた外圧が爪縁部に掛かる同環境下での治療においては、図２（ｂ）に示すように、矯正具の爪縁部側端部へ該外圧が掛かり、爪変形していなかった爪甲部が「への字」形のような二次的な屈曲状の爪変形を発症することで、美容上の問題だけでなく、治療期間の延長につながることで経済的においても、さらなる患者への負担増の問題を引き起こす。【０００５】  本発明は、上記の問題点を解決する巻き爪矯正具を提供することにある。
【課題を解決するための手段】
【０００６】  以上の課題を解決するため、本発明に掛かる矯正方法を図１が示す巻き爪矯正具Ａの一例で説明すると、巻き爪矯正具Ａの矯正部材１は、弾性能を有する金属または樹脂またはエラストマーまたは形状記憶合金または形状記憶樹脂を用いて、爪幅方向に長く且つ短手方向断面略Ｃ字状に成形され、爪の先端側２４からで、且つ巻き爪症状の進行から鑑みられた両側の爪縁部２２の適宜位置に夫々対で挟着されたことで、略平状へ矯正できる挟持型で成している。  また耐歪曲部材２は、歪曲変形を抑止できる剛性能を強化された弾性を有する金属または樹脂またはエラストマーまたは形状記憶合金または形状記憶樹脂を用いて、爪幅方向に長い平板状または線状または細工ばね状に成形され、付設方法は両側該矯正部材１−１の間で且つ爪甲２６側に渡設するように該矯正部材１を用いて挟着されて成すが、爪形によっては接着剤により爪甲２６の表面に貼着されて具備されてもよい。このような構成で巻き爪矯正具Ａは成している。【０００７】  請求項１の巻き爪矯正具Ａの構成によれば、矯正治療中に発症する二次的な歪曲変形を解決する手段として、爪甲２６面上に歪曲を抑止できる強度で形成された耐歪曲部材２を渡設することにより、外圧による爪甲２６の屈曲を抑止され、爪甲２６を常に略平状に保つことができるため、折曲や歪みのない平滑な爪修復を提供する矯正治療が行える。
【発明を実施するための形態】
【００１７】  以下、本発明を実施するための形態について適宜図面を参照しながら説明するが、本実施形態は以下の内容に限定されるものではなく、本発明の要旨を損なわない範囲で任意に変更して実施可能である。
【実施形態】
【実施例１】
【００１８】本願の請求項１の発明にかかわる第一の実施の形態について、図１を参照して説明する。図１は本発明の巻き爪矯正具Ａを表した一例であり、図１（ａ）斜視図に示された、矯正部材１はステンレス製で厚さ０．３ｍｍ、径２．５φ、長さ５ｍｍ、長手方向に伸びたスリットの長さ５ｍｍ、該スリット開口幅０．３ｍｍ、外形は短手方向断面Ｃ字状の筒型とした。なお使用される材はステンレス鋼だけでなく、挟持に適した弾性能を有する金属や樹脂から適宜選択されてもよい。【００１９】  耐歪曲部材２はステンレス鋼を用いて厚さ０．５ｍｍ、幅３ｍｍ、長さ１５ｍｍで形成されている。この該耐歪曲部材２は弾性材を用いるとよく、また使用材に関しては金属やプラスチックや形状記憶合金や形状記憶樹脂のいずれから適宜に選択され用いてもよく、前述の材を複合的に結合や混合や覆設や巻装することで耐歪曲性を強化してもよい。【００２０】装着は図１（ｂ）装着例で示されるように用いるのだが、矯正部材１の係止方法は、左右の夫々爪縁部１１と耐歪曲部材２の両側夫々略端部側とを、逆作用ピンセットを用いて開口された矯正部材１のスリットへ嵌挿した後、該逆作用ピンセットを脱着して該スリットを閉口し括着することで挟着される。【００２１】  なお、該耐歪曲部材２は耐歪曲力を完全に抑制するよりも、足運び時に起こる爪の変形を許容できる弾力性を持ったほうが、爪の突っ張り感も無く、滑らかな足運びを妨げないのでよい。
【発明の効果】
【００３２】  以上のように本発明によれば、矯正治療中に発症する二次的な爪の歪曲変形を抑制した矯正ができることで、巻き爪部だけでなく爪縁から連なる爪甲面まで、平滑状に整った爪形状態へ回復することのできる、巻き爪矯正具に関する。
【産業上の利用可能性】
【００３３】  医療用器具および美容器具の産業界において利用できるものである。
【図面の簡単な説明】
【００３４】
【図１】本発明巻き爪矯正具Ａを示し、（ａ）は斜視図、（ｂ）は装着例の斜視図である。
【図２】固定型巻き爪矯正具を使用した際の（ａ）は巻き爪へ装着時の正面図と外圧方向、（ｂ）は装着時に外圧により屈曲状に二次変形した爪甲の一例。
【図３】つま先部が狭い靴を履いたときの指の状態を表した正面図である。
【図４】第一趾爪の平面図である。
【符号の説明】
【００３５】Ａ  巻き爪矯正具１  矯正部材２  耐歪曲部材２１  爪郭部２２  爪縁部２３  爪溝部２４  爪の先端側２６  爪甲２７  二次的な爪変形部
【図１】
0005922635.tif 000002
【図２】
0005922635.tif 000003
【図３】
0005922635.tif 000004
【図４】
0005922635.tif 000005